(57)【要約】【課題】国産の割り箸を安価に提供することを可能とし、広告主にも割り箸配布者にも割り箸を利用するユーザーにも国内林業従事者にもメリットがあり、かつ環境保全への貢献をも可能にする広告方法を提供すること。【解決手段】国産の間伐材から製造された割り箸を入れる箸袋に国産木材の循環サイクルを支援する広告主の広告情報とともに掲載された会員制ウェブサイトの非会員用ウェブページのＵＲＬ情報と会員制ウェブサイトの管理者サーバーと利用者の通信端末とを有する広告システムによる広告方法であって、会員登録のステップと購入商品情報の認証によるポイント加算のステップと植樹申請のステップを含む広告方法とすること。【選択図】図１
2010123008.tif 000002
【特許請求の範囲】
【請求項１】
（１）国産の間伐材から製造された割り箸を入れる箸袋に国産木材の循環サイクルを支援する広告主の広告情報とともに掲載された、会員制ウェブサイトの非会員用ウェブページのＵＲＬ情報と、（２）前記広告情報の対象である１又は複数の商品情報と各商品に付与されたコード情報を含む商品用データベースと、会員メールアドレスと会員情報と獲得ポイント情報を含む会員用データベースと、所定のＵＲＬ情報で指定されるウェブページで公開するデータとを格納した記憶領域を有し、メール及びデータの送受信が可能な前記会員制ウェブサイトの管理者サーバーと、（３）前記管理者サーバーと電気通信回線を介して接続されメール及びデータの送受信が可能な利用者の通信端末と、を有する広告システムによる広告方法であって、
前記利用者の通信端末が、前記非会員用ウェブページのＵＲＬ情報で特定される非会員用ウェブページの閲覧を要求するステップと、
前記管理者サーバーが、前記非会員用ウェブページの閲覧を要求した利用者の通信端末に前記非会員用ウェブページを配信するステップと、
前記管理者サーバーが、前記非会員用ウェブページにおいて前記利用者の通信端末に会員登録用メールを前記管理者サーバーへ送信させるステップと、
前記管理者サーバーが、前記会員登録用メールを受信し前記利用者の通信端末に会員登録用ウェブページのＵＲＬ情報を含む登録用メールを自動送信するステップと、
前記利用者の通信端末が、前記登録用メールを受信し前記会員登録用ウェブページのＵＲＬ情報で特定される会員登録用ウェブページの閲覧を要求するステップと、
前記管理者サーバーが、前記会員登録用ウェブページの閲覧を要求した利用者の通信端末に前記会員登録用ウェブページを配信するステップと、
前記管理者サーバーが、前記会員登録用ウェブページにおいて前記利用者の通信端末に会員情報と前記広告情報の対象である商品選択の入力を含む登録用データを入力させ前記管理者サーバーへ送信させるステップと、
前記管理者サーバーが、前記登録用データを受信し、受信した前記登録用データを会員情報として、前記利用者の通信端末のメールアドレスを会員メールアドレスとして、所定のポイント数を獲得ポイント情報として、前記会員用データベースに記憶するステップと、
前記管理者サーバーが、前記利用者の通信端末に会員トップページ用ウェブページのＵＲＬ情報を含む登録完了用メールを送信するステップと、
前記利用者の通信端末が、前記登録完了用メールを受信するステップと、
前記利用者の通信端末が、前記会員トップページ用ウェブページのＵＲＬ情報で特定される会員トップページ用ウェブページの閲覧を要求するステップと、
前記管理者サーバーが、前記会員トップページ用ウェブページの閲覧を要求した利用者の通信端末に前記会員トップページ用ウェブページを配信するステップと、
前記管理者サーバーが、前記会員トップページ用ウェブページにおいて前記利用者の通信端末に購入商品情報を選択させるステップと、
前記管理者サーバーが、前記購入商品情報を受信し利用者の通信端末に商品用ウェブページを配信するステップと、
前記管理者サーバーが、前記商品用ウェブページにおいて選択した購入商品のコード情報を入力させ前記コード情報を前記管理者サーバーへ送信させるステップと、
前記管理者サーバーが、前記コード情報を受信し、受信した前記コード情報が前記購入商品情報に付与されたコード情報と一致するか否かを判断するステップと、
前記管理者サーバーが、送信された前記コード情報が前記購入商品情報に付与されたコード情報と一致するときに所定のポイント数を前記獲得ポイントに加算し前記利用者の通信端末に加算したポイント数を知らせるポイント付与完了ウェブページを配信するステップと、
前記管理者サーバーが、前記会員トップページ用ウェブページにおいて前記利用者の通信端末に植樹申請情報を入力させ植樹申請情報を前記管理者サーバーへ送信させるステップと、
前記管理者サーバーが、前記植樹申請情報を受信し植樹申請した前記利用者の通信端末の獲得ポイントが一定のポイント以上であるか否かを判断するステップ、
前記管理者サーバーが、前記利用者の通信端末の獲得ポイント数が一定ポイン以上であるときに獲得ポイントから植樹申請に必要なポイントを減算し前記利用者の通信端末に植樹記念書ダウンロード用ウェブページを配信するステップと
を含むことを特徴とする、広告方法。
【請求項２】
前記会員制ウェブサイトの非会員用ウェブページへのアクセス用ＵＲＬ情報が、コード化された二次元コードであって、
前記利用者の通信端末が、
前記二次元コードを読み取りＵＲＬ情報を復号するコード情報読取手段を有し、
前記非会員用ウェブページの閲覧を要求するステップが、
前記二次元コードを前記コード情報読取手段で復号して非会員用ページの閲覧を要求するステップ
を含むことを特徴とする、請求項１記載の広告方法。
【請求項３】
前記非会員用ウェブページにおいてログインＵＲＬを忘れた人用に前記利用者の通信端末に確認用メールを前記管理者サーバーへ送信させるステップと、
前記管理者サーバーが、前記確認用メールを受信し前記会員用データベースに前記確認用メールの送信元のメールアドレスが記憶されているか否かを判断するステップと、
前記管理者サーバーが、前記確認用メールの送信元のメールアドレスが記憶されているときに前記利用者の通信端末に会員トップページ用ウェブページのＵＲＬ情報を含む承認用メールを自動送信するステップと
を含むことを特徴とする請求項１又は請求項２記載の広告方法。
【請求項４】
前記管理者サーバーが、前記会員登録用メールを受信し前記利用者の通信端末に会員登録用ウェブページのＵＲＬ情報を含む登録用メールを自動送信するステップにおいて、前記会員登録用メールを受信した後、
前記管理者サーバーが、前記会員用データベースに前記会員登録用メールの送信元のメールアドレスが記憶されているか否かを判断するステップと、
前記管理者サーバーが、前記会員用データベースに前記確認用メールの送信元のメールアドレスが記憶されているときに前記利用者の通信端末に前記登録用メールの代わりに会員トップページ用ウェブページのＵＲＬ情報を含む登録済メールを自動送信するステップと
を含むことを特徴とする、請求項１から請求項３のいずれかに記載の広告方法。
【発明の詳細な説明】
【技術分野】
【０００１】
本発明は、箸袋を利用した広告方法に関する。
【背景技術】
【０００２】
箸袋は、コンビニエンスストアやスーパーなどで販売される弁当類やレストラン・食堂などで提供される料理につける割り箸を入れる袋として多く利用されている。箸袋には、何も表示されていない場合もあるが、その弁当類を販売するコンビニエンスストア等や料理を提供するレストラン等の割り箸配布者の広告が表示されている場合もある。いずれの場合でも、割り箸配布者が負担する箸袋付き割り箸のコストは高いという問題があった。この問題に対し、割り箸製造者のホストコンピュータに割り箸配布者と第三者である広告発注者とにアクセスさせて配布情報に発注情報を連結させて割り箸配布者に送信する広告システムがある（特許文献１参照）。
【特許文献１】特開２００２−２２５８７５号公報（図３）
【発明の開示】
【発明が解決しようとする課題】
【０００３】
しかし、上記文献に記載されたシステムは、広告主にとって魅力が薄いため広告発注者が見つかりにくく箸袋のコストは下がりにくいという問題があった。割り箸には間伐材が利用できるが、コストの安い外国産木材が多く使われ、割高になる国産の間伐材の再利用が進みにくく国内林業従事者が大変であるという問題があった。
【０００４】
また、割り箸を使って弁当類や料理を食べる側のユーザーにとっても、箸袋にただ単に別の企業の広告が表示されていると違和感があるという問題があった。
【０００５】
また、互いに競合する企業の商品を同じ場所で販売しているコンビニエンスストアやスーパーなどでは、特定の企業や特定の商品の広告をしにくいという問題があった。
【０００６】
更には、割り箸を利用することが、森林伐採につながっていて環境破壊を促進しているという誤った悪いイメージがあるため、割り箸の箸袋に広告を載せることは広告主にとってプラスイメージになりにくく、また、ユーザーにとっても割り箸を使うことが環境に負荷をかけているという後ろめたい気持ちを起こさせるという問題があった。環境への関心が高まっている昨今においては、環境に配慮していることをアピールできない広告であることは消極的なダメージになるという問題があった。また、一般の人が環境保全に貢献しようとしても、簡単に参加できるしくみはほとんどないという問題があった。
【０００７】
したがって、本発明の目的は、上記した課題を解決し、国産の割り箸を安価に提供することを可能とし、広告主にも割り箸配布者にも割り箸を利用するユーザーにも国内林業従事者にもメリットがあり、かつ環境保全への貢献をも可能にする広告方法を提供することにある。
【課題を解決するための手段】
【０００８】
本発明の第１の態様は、上記目的を達成するため、（１）国産の間伐材から製造された割り箸を入れる箸袋に国産木材の循環サイクルを支援する広告主の広告情報とともに掲載された、会員制ウェブサイトの非会員用ウェブページのＵＲＬ情報と、（２）前記広告情報の対象である１又は複数の商品情報と各商品に付与されたコード情報を含む商品用データベースと、会員メールアドレスと会員情報と獲得ポイント情報を含む会員用データベースと、所定のＵＲＬ情報で指定されるウェブページで公開するデータとを格納した記憶領域を有し、メール及びデータの送受信が可能な前記会員制ウェブサイトの管理者サーバーと、（３）前記管理者サーバーと電気通信回線を介して接続されメール及びデータの送受信が可能な利用者の通信端末と、を有する広告システムによる広告方法であって、
前記利用者の通信端末が、前記非会員用ウェブページのＵＲＬ情報で特定される非会員用ウェブページの閲覧を要求するステップと、
前記管理者サーバーが、前記非会員用ウェブページの閲覧を要求した利用者の通信端末に前記非会員用ウェブページを配信するステップと、
前記管理者サーバーが、前記非会員用ウェブページにおいて前記利用者の通信端末に会員登録用メールを前記管理者サーバーへ送信させるステップと、
前記管理者サーバーが、前記会員登録用メールを受信し前記利用者の通信端末に会員登録用ウェブページのＵＲＬ情報を含む登録用メールを自動送信するステップと、
前記利用者の通信端末が、前記登録用メールを受信し前記会員登録用ウェブページのＵＲＬ情報で特定される会員登録用ウェブページの閲覧を要求するステップと、
前記管理者サーバーが、前記会員登録用ウェブページの閲覧を要求した利用者の通信端末に前記会員登録用ウェブページを配信するステップと、
前記管理者サーバーが、前記会員登録用ウェブページにおいて前記利用者の通信端末に会員情報と前記広告情報の対象である商品選択の入力を含む登録用データを入力させ前記管理者サーバーへ送信させるステップと、
前記管理者サーバーが、前記登録用データを受信し、受信した前記登録用データを会員情報として、前記利用者の通信端末のメールアドレスを会員メールアドレスとして、所定のポイント数を獲得ポイント情報として、前記会員用データベースに記憶するステップと、
前記管理者サーバーが、前記利用者の通信端末に会員トップページ用ウェブページのＵＲＬ情報を含む登録完了用メールを送信するステップと、
前記利用者の通信端末が、前記登録完了用メールを受信するステップと、
前記利用者の通信端末が、前記会員トップページ用ウェブページのＵＲＬ情報で特定される会員トップページ用ウェブページの閲覧を要求するステップと、
前記管理者サーバーが、前記会員トップページ用ウェブページの閲覧を要求した利用者の通信端末に前記会員トップページ用ウェブページを配信するステップと、
前記管理者サーバーが、前記会員トップページ用ウェブページにおいて前記利用者の通信端末に購入商品情報を選択させるステップと、
前記管理者サーバーが、前記購入商品情報を受信し利用者の通信端末に商品用ウェブページを配信するステップと、
前記管理者サーバーが、前記商品用ウェブページにおいて選択した購入商品のコード情報を入力させ前記コード情報を前記管理者サーバーへ送信させるステップと、
前記管理者サーバーが、前記コード情報を受信し、受信した前記コード情報が前記購入商品情報に付与されたコード情報と一致するか否かを判断するステップと、
前記管理者サーバーが、送信された前記コード情報が前記購入商品情報に付与されたコード情報と一致するときに所定のポイント数を前記獲得ポイントに加算し前記利用者の通信端末に加算したポイント数を知らせるポイント付与完了ウェブページを配信するステップと、
前記管理者サーバーが、前記会員トップページ用ウェブページにおいて前記利用者の通信端末に植樹申請情報を入力させ植樹申請情報を前記管理者サーバーへ送信させるステップと、
前記管理者サーバーが、前記植樹申請情報を受信し植樹申請した前記利用者の通信端末の獲得ポイントが一定のポイント以上であるか否かを判断するステップ、
前記管理者サーバーが、前記利用者の通信端末の獲得ポイント数が一定ポイン以上であるときに獲得ポイントから植樹申請に必要なポイントを減算し前記利用者の通信端末に植樹記念書ダウンロード用ウェブページを配信するステップと
を含むことを特徴とする広告方法を提供する。
【０００９】
本発明の第１の態様によれば、会員登録受付から広告情報提供と広告商品購入促進そして植樹申請受付まで、ひとつのＷｅｂサイトで行うことができる。したがって、発明の第１の態様によれば、国産の割り箸を安価に提供することを可能とし、広告主にも割り箸配布者にも割り箸を利用するユーザーにも国内林業従事者にもメリットがあり、かつ環境保全への貢献をも可能にする。
【００１０】
前記会員制ウェブサイトの非会員用ウェブページへのアクセス用ＵＲＬ情報が、コード化された二次元コードであって、
前記利用者の通信端末が、
前記二次元コードを読み取りＵＲＬ情報を復号するコード情報読取手段を有し、
前記非会員用ウェブページの閲覧を要求するステップが、
前記二次元コードを前記コード情報読取手段で復号して非会員用ページの閲覧を要求するステップ
を含むことが好ましい。
【００１１】
また、前記非会員用ウェブページにおいてログインＵＲＬを忘れた人用に前記利用者の通信端末に確認用メールを前記管理者サーバーへ送信させるステップと、
前記管理者サーバーが、前記確認用メールを受信し前記会員用データベースに前記確認用メールの送信元のメールアドレスが記憶されているか否かを判断するステップと、
前記管理者サーバーが、前記確認用メールの送信元のメールアドレスが記憶されているときに前記利用者の通信端末に会員トップページ用ウェブページのＵＲＬ情報を含む承認用メールを自動送信するステップと
を含むことが好ましい。
【００１２】
また、前記管理者サーバーが、前記会員登録用メールを受信し前記利用者の通信端末に会員登録用ウェブページのＵＲＬ情報を含む登録用メールを自動送信するステップにおいて、前記会員登録用メールを受信した後、
前記管理者サーバーが、前記会員用データベースに前記会員登録用メールの送信元のメールアドレスが記憶されているか否かを判断するステップと、
前記管理者サーバーが、前記会員用データベースに前記確認用メールの送信元のメールアドレスが記憶されているときに前記利用者の通信端末に前記登録用メールの代わりに会員トップページ用ウェブページのＵＲＬ情報を含む登録済メールを自動送信するステップと
を含むことが好ましい。
【発明の効果】
【００１３】
本発明によれば、国産の割り箸を安価に提供することを可能とし、広告主にも割り箸配布者にも割り箸を利用するユーザーにも国内林業従事者にもメリットがあり、かつ環境保全への貢献をも可能にする。
【発明を実施するための最良の形態】
【００１４】
以下、本発明の広告方法について、添付図面を参照して実施例を用いて本発明の好適な実施の形態を具体的に説明するが、本発明はこれらに限定されるものではない。
【実施例】
【００１５】
［実施例１］
｛構成｝
本発明の広告方法は、（１）国産の間伐材から製造された割り箸を入れる箸袋に国産木材の循環サイクルを支援する広告主の広告情報とともに掲載された、会員制ウェブサイトの非会員用ウェブページのＵＲＬ情報と、（２）前記広告情報の対象である１又は複数の商品情報と各商品に付与されたコード情報を含む商品用データベースと、会員メールアドレスと会員情報と獲得ポイント情報を含む会員用データベースと、所定のＵＲＬ情報で指定されるウェブページで公開するデータとを格納した記憶領域を有し、メール及びデータの送受信が可能な前記会員制ウェブサイトの管理者サーバーと、（３）前記管理者サーバーと電気通信回線を介して接続されメール及びデータの送受信が可能な利用者の通信端末と、を有する広告システムによる広告方法である。
【００１６】
管理者サーバーは、サーバー機能を有するコンピューターであり、会員制ウェブサイトを有し、これを管理する。管理者サーバーは、電気通信回線を介して管理者サーバーの有する会員制ウェブサイトの各ウェブページの閲覧を要求した通信端末にそのウェブページを閲覧させて、前記ウェブページに掲載されたデータを配信する配信手段と、前記ウェブページにおいて送信されたデータを受信するデータ受信手段と、メールを受信し返信のメールを自動送信するメール送受信手段とを有する。
【００１７】
管理者サーバーは、メールやデータの送受信、ウェブページの配信、記憶領域へのデータの記憶や更新、会員認証プログラムや商品のコード情報の認証プログラムや植樹申請時のポイント数確認のプログラムなどを制御する制御装置を有する。
【００１８】
管理者サーバーは、記憶領域に、所定のＵＲＬ情報で指定されるウェブページで公開するデータ、詳細には、非会員用ウェブページ、会員登録用ウェブページ、会員トップページ用ウェブページ、ポイントお知らせウェブページ、植樹記念書ダウンロード用ウェブページを含む各ウェブページで公開するデータを格納する。利用者の通信端末からインターネットを介して閲覧要求が管理者サーバーに届くと、要求されたウェブページを配信して利用者の通信端末に表示させる。
【００１９】
管理者サーバーは、記憶領域に、会員メールアドレスと会員情報と獲得ポイント情報とを含む会員用データベースを格納する。会員情報は、例えば生年月日やニックネームなどである。獲得ポイント情報については、会員登録により所定のポイント数が付与され、データベースに会員メールアドレスと会員情報が記憶されると同時に付与されたポイントを獲得ポイント情報として記憶する。ポイント数は、制御装置により、植樹申請が受け付けられると減らされ、購入商品のコード情報が認証されると増やされる処理がされる。
【００２０】
管理者サーバーは、記憶領域に、広告情報の対象である１又は複数の商品情報と各商品に付与されたコード情報を含む商品用データベースを格納する。かかるコード情報は、商品識別コードで、例えばＪＡＮ（Japanese Article Number）コードが好ましい。ＪＡＮコードは商品又はその包装に印刷等されており、コンビニエンスストアなどのＰＯＳシステムなどで利用されている。かかるコードにより商品が特定される。
【００２１】
広告主の広告情報は、販売中の商品情報であり、２、３週間のサイクルで新しい商品情報に変わる。したがって、利用者は常に新しい商品情報を手に入れることができる。新しい商品情報の対象商品を購入して会員トップページにアクセスし、そのコード情報を入力すると植樹申請用のポイントを獲得できる。
【００２２】
会員認証プログラムは、管理者サーバーのコンピュータに、非会員用ウェブページの閲覧を要求した利用者の通信端末に非会員用ウェブページを配信する機能、利用者の通信端末から送信された会員登録用メールを受信する機能、会員登録用メールの送信元である利用者の通信端末のメールアドレスに会員登録用ウェブページのＵＲＬ情報を含む登録用メールを自動送信する機能、会員登録用ウェブページの閲覧を要求した利用者の通信端末に会員登録用ウェブページを配信する機能、利用者の通信端末から送信された登録用データを受信する機能、受信した登録用データを会員情報として会員用データベースに記憶する機能、登録用データを送信した利用者の通信端末のメールアドレスを前記会員情報にひもづけされた会員メールアドレスとして会員用データベースに記憶する機能、所定のポイント数を登録用データを送信した利用者の会員メールアドレスにひもづけされた所獲得ポイント情報として会員用データベースに記憶する機能、会員用データベースに会員情報を記憶させた利用者の通信端末に会員トップページ用ウェブページのＵＲＬ情報を含む登録完了用メールを送信する機能、会員トップページ用ウェブページの閲覧を要求した利用者の通信端末に会員トップページ用ウェブページを配信する機能を実現させるためのプログラムである。
【００２３】
また、本実施例では、会員認証プログラムは、さらに、管理者サーバーのコンピュータに、利用者の通信端末から送信された確認用メールを受信する機能、会員用データベースに確認用メールの送信元のメールアドレスが記憶されているかを判断する機能、会員用データベースに確認用メールの送信元のメールアドレスが記憶されているときに確認メールの送信元である利用者の通信端末に会員トップページ用ウェブページのＵＲＬ情報を含む承認用メールを自動送信する機能を実現させるためのプログラムでもある。
【００２４】
また、本実施例では、会員認証プログラムは、さらに、管理者サーバーのコンピュータに、会員登録用メールを受信した際に会員用データベースに確認用メールの送信元のメールアドレスが記憶されているか否かを判断する機能、会員用データベースに確認用メールの送信元のメールアドレスが記憶されているときに利用者の通信端末に前記登録用メールの代わりに会員トップページ用ウェブページのＵＲＬ情報を含む登録済メールを自動送信する機能を実現させるためのプログラムでもある。
【００２５】
商品のコード情報の認証プログラムは、管理者サーバーのコンピュータに、会員トップページ用ウェブページの閲覧を要求した利用者の通信端末に会員トップページ用ウェブページを配信する機能、利用者の通信端末から送信された購入商品情報を受信する機能、受信した購入商品情報に応じた商品ウェブページを配信する機能、利用者の通信端末から送信されたコード情報を受信する機能、受信したコード情報が購入商品情報に付与されたコード情報と一致するか否かを判断する機能、コード情報が購入商品情報に付与されたコード情報と一致するときに所定のポイント数を会員用データベースに記憶された獲得ポイントに加算して記憶する機能、獲得ポイントに加算した後に利用者の通信端末に加算したポイント数を知らせるポイント付与完了ウェブページを配信する機能を実現させるためのプログラムである。
【００２６】
植樹申請時のポイント数確認のプログラムは、管理者サーバーのコンピュータに、植樹申請情報を受信する機能、植樹申請した利用者の通信端末のメールアドレスを会員用データベースで検索しそのメールアドレスにひもづけされた獲得ポイントを読み出す機能、読み出した獲得ポイントが植樹申請に必要な一定のポイント以上であるかを判断する機能、獲得ポイントが一定のポイント以上であるとき会員用データベースに記憶されているその会員の獲得ポイントから植樹申請に必要なポイントを減算して更新し記憶する機能、植樹申請に必要なポイントを減算した利用者の通信端末に植樹記念書ダウンロード用ウェブページを配信する機能を実現させるためのプログラムである。
【００２７】
利用者の通信端末は、管理者サーバーと、インターネットなどの電気通信回線を介して接続されており、ＵＲＬ情報で特定されるウェブページの閲覧を要求する閲覧要求手段と、ウェブページを閲覧しデータを受信する閲覧手段と、閲覧したウェブページにおいてデータを入力し、入力したデータを送信するデータ送信手段と、メールを送信するメール送信手段と、メールを受信するメール受信手段とを有する。かかる通信端末には、たとえば、ウェブページ閲覧機能やメール送受信機能のある携帯電話やパソコンなどがある。
【００２８】
会員制ウェブサイトの非会員用ウェブページのＵＲＬ情報は、ＵＲＬアドレスそのものでもよいし、コード化された二次元コードであってもよい。二次元コード（二次元バーコード）としては、例えばＱＲコード（商標）を使用することが出来るが、他のマトリックス型コード（例えばデータマトリックス、マキシコード、ベリコード等）やスタック型コード（例えばピーディーエフ４１７等）を使用することも可能である。二次元コードの場合、利用者の通信端末は前記二次元コードを読み取りＵＲＬ情報を復号するコード情報読取手段を有し、前記二次元コードを前記コード情報読取手段で復号して非会員用ページの閲覧を要求しページを表示させる。携帯電話であれば、ＱＲコード（商標）を読み取れるカメラを有する端末が好ましい。会員制ウェブサイトの非会員用ウェブページのＵＲＬ情報は箸袋に印刷されていてもよいし、貼り付けてあってもよい。
【００２９】
｛手順｝
本発明の広告方法の実施例１は、会員登録のステップと購入商品情報の認証によるポイント加算のステップと植樹申請のステップを含む。
【００３０】
（会員登録のステップ）
図１は、本発明の広告方法の実施例１における会員登録の概要を示す図である。国産の間伐材から製造された割り箸を入れる箸袋に国産木材の循環サイクルを支援する広告主の広告情報とともに掲載された、会員制ウェブサイトの非会員用ウェブページのＵＲＬ情報を見た利用者が会員登録をすることができる。利用者が自己の通信端末を入力操作することによって取り入れられたＵＲＬ情報を取り入れても良いし、二次元コードで表示されているＵＲＬ情報をカメラで読み取って複号することによってＵＲＬ情報を取り入れても良い。本実施例では、ＵＲＬ情報はＱＲコード（商標）で表示されている。かかる箸袋は、コンビニエンスストアやスーパーで販売されている弁当類などに付けてあったり、レジ横で配布したり、レストランで料理を提供する際に配布されたりして利用されるものである。
【００３１】
上記箸袋からＱＲコード（商標）をコード情報読取手段で復号して非会員用ウェブページのＵＲＬ情報を読み取り、利用者の通信端末が、非会員用ウェブページのＵＲＬ情報で特定される非会員用ウェブページの閲覧を要求する。すると、管理者サーバーが、会員認証プログラムにより、非会員用ウェブページの閲覧を要求した利用者の通信端末に非会員用ウェブページを配信する。閲覧要求した利用者の通信端末には非会員用ウェブページが表示される。非会員用ウェブページには、本実施例では、会員登録用ボタンとログインＵＲＬを忘れた人用ボタンが表示される。
【００３２】
非会員用ウェブページで会員登録用ボタンが選択されると、管理者サーバーが、非会員用ウェブページにおいて、会員登録用ボタンを選択した利用者の通信端末に、会員登録用メールを管理者サーバーへ送信させる。会員登録用メールは送信元のアドレスが分かればよいので空メールでよい。
【００３３】
管理者サーバーが会員登録用メールを受信する。会員登録用メールを送信した利用者の通信端末に会員登録用ウェブページのＵＲＬ情報を含む登録用メールを自動送信する。
【００３４】
利用者の通信端末は前記登録用メールを受信する。利用者の通信端末が会員登録用ウェブページのＵＲＬ情報で特定される会員登録用ウェブページの閲覧を要求する。管理者サーバーが、会員認証プログラムにより、会員登録用ウェブページの閲覧を要求した利用者の通信端末に会員登録用ウェブページを配信する。閲覧要求した利用者の通信端末には会員登録用ウェブページが表示される。
【００３５】
会員登録用ウェブページにおいて利用者の通信端末に会員情報と広告情報の対象である商品選択の入力を含む登録用データを入力させる。会員登録用ウェブページには、本実施例では、会員情報入力欄と商品選択ボタンと登録ボタンが表示される。会員情報入力欄では生年月日やニックネームなどの入力を要求する。商品選択ボタンは、利用者が見た箸袋に掲載されている広告情報の対象となっている商品の選択を要求する。全ての入力と選択が終わると登録ボタンを選択できる。この登録ボタンを選択することにより会員制ウェブサイトのデータベースへのパーミッションを取得できる。登録ボタンの選択により、入力した会員情報と選択した広告情報の対象である商品の情報を含む登録用データを管理者サーバーへ送信させる。
【００３６】
管理者サーバーは登録用データを受信する。管理者サーバーは、受信した登録用データを会員情報として会員用データベースに記憶する。登録用データを送信した利用者の通信端末のメールアドレスを会員メールアドレスとして会員情報とひもづけして会員用データベースに記憶する。また、会員登録による所定のポイント数を獲得ポイント情報として、会員メールアドレス及び会員情報とひもづけして会員用データベースに記憶する。
【００３７】
管理者サーバーはその後、登録用データを送信した利用者の通信端末に会員トップページ用ウェブページのＵＲＬ情報を含む登録完了用メールを送信する。
【００３８】
利用者の通信端末が、登録完了用メールを受信すると会員登録のステップは終了する。登録完了用メールを受信した利用者の通信端末は、会員トップページ用ウェブページへアクセス可能となる。
【００３９】
図２は、本発明の広告方法の実施例１における会員認証の概要を示す図である。会員登録した会員が会員トップページ用ウェブページを忘れてしまったり、登録したことを忘れてしまうこともある。その場合でも、会員は、別の箸袋に掲載されている非会員用ウェブページのＵＲＬ情報から非会員用ウェブページにはアクセスすることができる。
【００４０】
非会員用ウェブページでログインＵＲＬを忘れた人用ボタンが選択されると、管理者サーバーが、非会員用ウェブページにおいて、ログインＵＲＬを忘れた人用ボタンを選択した利用者の通信端末に、確認用メールを管理者サーバーへ送信させる。確認用メールは送信元のアドレスが分かればよいので空メールでよい。
【００４１】
管理者サーバーが確認用メールを受信する。管理者サーバーは、会員用データベースにアクセスして確認用メールの送信元のメールアドレスが記憶されているか否かを判断する。確認用メールの送信元のメールアドレスが記憶されているときに利用者の通信端末に会員トップページ用ウェブページのＵＲＬ情報を含む承認用メールを自動送信する。承認用メールを受信した利用者の通信端末は、会員トップページ用ウェブページへアクセス可能となる。
【００４２】
一方、非会員用ウェブページで会員登録用ボタンが選択され、会員登録用メールを受信した後、本実施例では、すべての場合に登録用メールを自動送信するのではなく、一旦、会員用データベースにアクセスして会員登録用メールの送信元のメールアドレスが記憶されているか否かを判断する。会員登録用メールの送信元のメールアドレスが記憶されていなければ登録用メールを自動送信するが、記憶されているときには利用者の通信端末に登録用メールの代わりに会員トップページ用ウェブページのＵＲＬ情報を含む登録済メールを自動送信する。登録済メールを受信した利用者の通信端末は、会員トップページ用ウェブページへアクセス可能となる。
【００４３】
したがって、誤って二重登録してしまうことを回避でき、また、会員制ウェブサイトへのアクセス方法を忘れてしまっても箸袋を見れば再度アクセス可能になる。
【００４４】
（ポイント加算のステップ）
会員は、広告対象となっている商品を購入しその商品情報を会員制ウェブサイトで入力し認証されるとポイントが加算される。以下、購入商品情報の認証によるポイント加算について説明する。
【００４５】
図３は、本発明の広告方法の実施例１におけるポイント加算の概要を示す図である。会員登録した利用者の通信端末が、会員トップページ用ウェブページのＵＲＬ情報で特定される会員トップページ用ウェブページの閲覧を要求する。このＵＲＬ情報は登録完了用メール、承認用メール及び登録済メールに記載されている。管理者サーバーが、商品のコード情報の認証プログラムにより、会員トップページ用ウェブページの閲覧を要求した利用者の通信端末に会員トップページ用ウェブページを配信する。閲覧要求した利用者の通信端末には会員トップページ用ウェブページが表示される。会員トップページ用ウェブページには、購入商品情報選択ボタンと植樹申請ボタンとポイント履歴ボタンが表示される。
【００４６】
管理者サーバーが、会員トップページ用ウェブページにおいて会員トップページ用ウェブページにアクセスした利用者の通信端末に購入商品情報を選択させる。購入商品情報の選択ボタンは、そのとき箸袋に広告情報が掲載されている商品名で複数から選択するようになっている。管理者サーバーは、購入商品情報が選択されると選択した購入商品情報が管理者サーバーへ送信される。管理者サーバーは購入商品情報を受信する。さらにその商品のコード情報を入力させるため、コード情報入力欄と申請ボタンを有する商品ウェブページが利用者の通信端末に配信される。商品のコード情報は認証を得るためのパスワードとなっており、本実施例では、ＪＡＮコードである。利用者の通信端末によりＪＡＮコードが入力されると申請ボタンが選択でき、申請ボタンが選択されると入力したコード情報が管理者サーバーへ送信される。
【００４７】
管理者サーバーはコード情報を受信する。管理者サーバーは、商品のコード情報の認証プログラムにより、商品用データベースにアクセスして受信したコード情報が購入商品情報に付与されたコード情報と一致するか否かを判断する。
【００４８】
管理者サーバーが、送信されたコード情報が購入商品情報に付与されたコード情報と一致するときに、会員用データベースにアクセスして、購入商品情報とコード情報とを送信した利用者の通信端末のメールアドレスにひもづけされた獲得ポイントに、所定のポイント数を加算して記憶する。管理者サーバーは、購入商品情報とコード情報とを送信した利用者の通信端末に、加算したポイント数を知らせるポイントお知らせウェブページを配信する。利用者の通信端末には、ポイント付与完了ウェブページで加算したポイント数が表示される。コード情報が異なるときはその旨のメッセージを表示して処理を終了する。
【００４９】
利用者の通信端末にポイント付与完了ウェブページが表示されるとポイント加算のステップは終了する。
【００５０】
（植樹申請のステップ）
会員は、貯めたポイントを使って、植樹申請ができる。間伐材を使った箸を積極的に使って、しかも、環境保護のため、森に植樹をするという行為を、森へ行かなくても、また実際に植樹の費用を負担しなくても実行できる。植樹の費用は、広告主が払う広告費の中から、会員制ウェブサイトの管理者が負担するしくみである。以下、植樹申請について説明する。
【００５１】
図４は、本発明の広告方法の実施例１における植樹申請の概要を示す図である。管理者サーバーが、会員トップページ用ウェブページにおいて利用者の通信端末に植樹申請ボタンを選択させることで植樹申請情報を入力させる。さらに、植樹申請情報を管理者サーバーへ送信させる。
【００５２】
管理者サーバーは植樹申請情報を受信する。管理者サーバーは、植樹申請時のポイント数確認のプログラムにより、植樹申請した利用者の通信端末の獲得ポイントが一定のポイント以上であるか否かを判断する。詳細には、会員用データベースにアクセスして植樹申請した利用者の通信端末のメールアドレスにひもづけされた獲得ポイント情報を読み出し、植樹申請に必要なポイント以上であるかを判断する。本実施例では、一定のポイントを１０００ポイントとした。
【００５３】
管理者サーバーが、植樹申請した利用者の通信端末の獲得ポイント数が一定ポイン以上であるときに、会員用データベースにアクセスして、植樹申請した利用者の通信端末のメールアドレスにひもづけされた獲得ポイントから植樹申請に必要なポイントを減算して記憶する。これと同時に管理者サーバーの管理画面に植樹申請の情報が、申請数を１つ追加して更新される。また、管理者サーバーは、利用者の通信端末に植樹記念書ダウンロード用ウェブページを配信する。利用者は植樹記念書をダウンロードすることができる。一定のポイント以上でないときはポイント数が足らない旨のメッセージを表示して処理を終了する。
【００５４】
図５は、本発明の広告方法の実施例１における管理者サーバー側の管理総合画面を示す図である。管理者サーバーで、管理者は会員用データベースを検索したり植樹申請（換金管理）の状況を把握することができる。
【００５５】
図６は、本発明の広告方法の実施例１における管理者サーバー側のメール管理画面を示す図である。管理者サーバーで、管理者は会員に対してメール管理画面でその属性に応じたメールマガジンを発行することができる。
【００５６】
｛効果｝
本実施例によれば、国産の割り箸を安価に提供することを可能とし、広告主にも割り箸配布者にも割り箸を利用するユーザーにも国内林業従事者にもメリットがあり、かつ環境保全への貢献をも可能にする。
【００５７】
詳細には、ユーザーに広告情報を与えるとともにユーザーに会員登録をさせ、購入した商品情報の入力をさせ、登録や入力された商品情報によりポイントを付与し、貯めたポイントで植樹申請を可能とさせる。すなわち、会員登録受付から広告情報提供と広告商品購入促進そして植樹申請受付まで、ひとつのＷｅｂサイトで行うことができる。
【００５８】
これにより、ユーザーにとっては、広告情報を得られるだけでなく日常の生活をしながら積極的に環境保全への貢献に関わることができる。
【００５９】
また、コンビニエンスストアやスーパーや食堂などの割り箸配布者にとっては、国産の間伐材から製造された割り箸を使用していることで環境に配慮し環境保全に積極的に貢献している企業であることをアピールでき、その箸袋に入っている割り箸自体に関係した環境貢献に賛同する企業の広告であることから競合企業の製品を同じ場所においているコンビニエンスストアやスーパーなどであっても採用しやすく、広告主に魅力ある広告媒体とすることで高い広告料が集められ外国産割り箸と同等かそれ以下にコストを下げることができる。
【００６０】
また、広告主にとってはいままで広告しにくかったコンビニエンスストアやスーパーなどでの宣伝が可能となり広告の場を広げることができかつ環境に貢献していることをアピールできかつユーザーに購入した商品情報の入力をさせてポイントを付与するので商品購入への促進効果を高めることができる。
【００６１】
また、かかるしくみにより、一般の人が植樹という環境への貢献活動を、実際の植樹を行うよりもコストも手間もかけず手軽にかつ気軽に行うことができる。
【００６２】
さらには、安全性の高い国産の間伐材を利用した割り箸への変換を促進させることができる。また、ユーザーがポイントを使用することによって、その分の植樹費用が、広告主から広告料を受領した会員制Ｗｅｂサイトの管理者から支払われるため植樹コストを抑えることができる。したがって、かかるシステムを利用して国産の間伐材から製造した割り箸を提供し植樹を行う国内の林業従事者にとってもメリットがある。
【００６３】
また、会員制Ｗｅｂサイトの管理者にとっても、広告主を募りやすくまた広告された商品に興味を持ったユーザーと環境保全に興味のあるユーザーの両方を会員登録へ導けるため会員を獲得しやすい。
【００６４】
すなわち、本実施例によれば、環境貢献型企業としてイメージアップを図れかつ広告機会を広げられかつ実際の購買行動に直結する高い広告効果を得られる広告主、環境貢献型企業としてイメージアップを図れかつ安価に安全性の高い割り箸をつけて商品を提供できるコンビニエンスストアをはじめとする割り箸配布者、弁当の購入や食堂での食事といった日常生活を通して新商品情報を得られかつ積極的に環境保全への貢献に関わることができかつ安全性の高い割り箸を余分な費用をかけずに利用できるユーザー、さらには、間伐材の利用促進や植樹のコストを下げることができる国内林業従事者、より多くの会員を集めることができしたがって広告主にとって魅力あるＷｅｂサイトを提供できかつ環境にも貢献できるＷｅｂサイトの管理者、の５者にとって利益があり、５者ともがＷＩＮ-ＷＩＮの関係となることができる。
【００６５】
本実施例によれば、広告主にとって魅力が多いため広告発注者が見つかりやすく箸袋のコストを下げやすくなる。また、国産の間伐材の割り箸が割高にならなくて済むので国産の間伐材の再利用が進みやすくなりかつ植樹を安価にできる効果まで得られるので国内林業従事者にとって画期的な割り箸提供システムとなりうる。箸袋に表示される広告がその箸袋に入った国産の間伐材を利用した箸について賛同している企業の広告であると容易に理解できるので割り箸配布者であるコンビニエンスストア等の名前を表示した箸袋でなくても違和感なく受け入れやすい。また、国産の間伐材を利用した箸自体のプロジェクトに賛同している企業の広告であれば競合する企業の商品を同じ場所で販売しているコンビニエンスストアやスーパー等でも採用しやすい。割り箸の利用について誤ったイメージを払しょくでき、プロジェクトに参加している広告主、割り箸配布者についてユーザーに良い企業イメージを提供できる。また環境保全に貢献したいユーザーが簡単に貢献活動に参加できる。
【００６６】
なお、本発明は、上記実施の形態に限定されず、その発明の趣旨を逸脱しない範囲で種々と変形実施が可能である。また、上記各実施の形態の構成要素を発明の趣旨を逸脱しない範囲で任意に組み合わせることができる。
【図面の簡単な説明】
【００６７】
【図１】本発明の広告方法の実施例１における会員登録の概要を示す図である。
【図２】本発明の広告方法の実施例１における会員認証の概要を示す図である。
【図３】本発明の広告方法の実施例１におけるポイント加算の概要を示す図である。
【図４】本発明の広告方法の実施例１における植樹申請の概要を示す図である。
【図５】本発明の広告方法の実施例１における管理者サーバー側の管理総合画面を示す図である。
【図６】本発明の広告方法の実施例１における管理者サーバー側のメール管理画面を示す図である。
【図１】
2010123008.tif 000003
【図２】
2010123008.tif 000004
【図３】
2010123008.tif 000005
【図４】
2010123008.tif 000006
【図５】
2010123008.tif 000007
【図６】
2010123008.tif 000008